(57)【要約】  【課題】１つの操作ノブの押し、回転、および揺動操作によりそれぞれ異なるスイッチング動作を実現し、操作性に優れた構造の簡単なスイッチ装置を提供する。  【解決手段】ケース１と、ケース内から上端が突出し中央に鍔３ａが設けられた操作軸３と、操作軸３が揺動および回転可能になるように鍔３ａを支えるストライカ５、６と、操作軸３の上端に取り付けられた操作ノブ４と、操作ノブ４を押し操作して操作軸３を移動させることによりストライカ６が移動して切り換えられる接点を内蔵したプッシュスイッチ１１が実装され、操作ノブ４を回転操作して操作軸３を回転させることによりスライダ９が回転し、該回転状態で操作ノブ４を揺動操作して操作軸３を揺動させることによりスライダ９が移動して切り換えられる固定接点が形成された基板７とを備える。【選択図】  図７Ａ
2007087671.tif 000002
【特許請求の範囲】
【請求項１】
ケースと、
前記ケースの内部から外部へ向かって一端が突出し中央に鍔が設けられた操作軸と、
前記操作軸が揺動可能でかつ回転可能になるように前記鍔を支える支持部材と、
前記操作軸の一端に取り付けられた操作ノブと、
前記操作ノブを押し操作して前記操作軸を移動させることにより前記支持部材が移動して切り換えられる第１の接点と、
前記操作ノブを回転操作して前記操作軸を回転させることにより切り換えられる第２の接点と、
前記操作ノブを揺動操作して前記操作軸を揺動させることにより切り換えられる第３の接点と、
前記第１、第２、第３の接点をそれぞれ設けた基板と、を備えたことを特徴とするスイッチ装置。
【請求項２】
請求項１に記載のスイッチ装置において、
前記基板の一方の面側に前記第１の接点を設け、他方の面側に前記第２、第３の接点を設けたことを特徴とするスイッチ装置。
【請求項３】
請求項１または請求項２に記載のスイッチ装置において、
前記第１の接点は、前記基板の前記操作ノブ側の面に実装された押し込み可能なアクチュエータを有するプッシュスイッチの内部に備わる接点であって、前記アクチュエータが前記支持部材に押されることにより切り換えられることを特徴とするスイッチ装置。
【請求項４】
請求項１ないし請求項３のいずれかに記載のスイッチ装置において、
前記基板の前記操作ノブと反対側に基板と接触した状態で前記操作軸に追従して回転可能でかつ前記基板と平行に移動可能な可動接点を備え、
前記第２、第３の接点は、前記基板の前記操作ノブと反対側の面に形成された固定接点であり、
前記操作軸を回転させることにより前記可動接点が回転して前記第２の接点が切り換えられ、前記操作軸を揺動させることにより前記可動接点が前記基板と平行に移動して前記第３の接点が切り換えられることを特徴とするスイッチ装置。
【発明の詳細な説明】
【技術分野】
【０００１】
本発明は、押し、回転、および揺動操作が可能な操作ノブを備えたスイッチ装置に関するものである。
【背景技術】
【０００２】
自動車の運転席のアームレストや前面パネル等には、左右のサイドミラーの視角調節と起立・倒伏とを電動で行うパワーミラー装置に用いられるスイッチ装置が配設されている。このスイッチ装置には、サイドミラーを起立・倒伏させるためのスイッチング動作（接点の電気的接続状態の切り換え動作）、左右のサイドミラーのいずれかを選択するためのスイッチング動作、および選択したサイドミラーの視角調節をするためのスイッチング動作を行えることが要求されている。
【０００３】
従来の上記スイッチ装置には、サイドミラー起立・倒伏用の接点を切り換えるために操作する操作ノブと、サイドミラー選択用の接点を切り換えるために操作する操作ノブと、サイドミラー視角調節用の接点を切り換えるために操作する操作ノブとがそれぞれ別個に設けられているものがある。
【０００４】
また、例えば特許文献１、２に開示されているように、サイドミラー選択用の接点を切り換えるために回転操作し、サイドミラー視角調節用の接点を切り換えるために揺動操作する１つの操作ノブが設けられたものもある。特許文献１、２のスイッチ装置には、操作ノブの回転操作と揺動操作にクリック感（操作感触）を付与するための構造が備わっている。
【０００５】
さらに、例えば特許文献３に開示されているように、サイドミラー起立・倒伏用の接点を切り換えるために押し操作し、サイドミラー選択用の接点を切り換えるために回転操作し、サイドミラー視角調節用の接点を切り換えるために揺動操作する１つの操作ノブが設けられたものもある。特許文献３のスイッチ装置には、操作ノブの回転操作と揺動操作にクリック感を付与するための構造が備わっている。
【０００６】
一方、特許文献４に開示されているように、車載用オーディオセットに用いられるスイッチ装置（ジョイスティック装置）には、オーディオセットの複数の機能に対応する接点を切り換えるために押し、回転、および揺動操作する１つの操作杆が設けられたものもある。特許文献４のスイッチ装置には、操作桿の回転操作と揺動操作にクリック感を付与するための構造が備わっている。
【０００７】
【特許文献１】特開２００５−４４５８２号公報
【特許文献２】特開２００４−１３４２３９号公報
【特許文献３】特開２００１−２９１４５６号公報
【特許文献４】特許第３０３３２０５号公報
【発明の開示】
【発明が解決しようとする課題】
【０００８】
しかしながら、上述した従来の操作ノブが複数設けられているスイッチ装置では、必要に応じて操作する操作ノブを持ち替えなければならないため、操作が面倒で、操作性が良くない。また、特許文献１、２のスイッチ装置では、操作ノブを押し操作することについて何ら考慮されておらず、操作ノブの押し操作により切り換わる接点等も設けられていない。さらに、特許文献３、４のスイッチ装置では、複数の接点を複数の部材に分けて設けているため、部品点数が多く、構造が複雑である。
【０００９】
本発明は、上記の問題を解決するものであって、その課題とするところは、１つの操作ノブの押し、回転、および揺動操作によりそれぞれ異なるスイッチング動作を実現し、操作性に優れた構造の簡単なスイッチ装置を提供することにある。
【課題を解決するための手段】
【００１０】
本発明に係るスイッチ装置は、ケースと、ケースの内部から外部へ向かって一端が突出し中央に鍔が設けられた操作軸と、操作軸が揺動可能でかつ回転可能になるように鍔を支える支持部材と、操作軸の一端に取り付けられた操作ノブと、操作ノブを押し操作して操作軸を移動させることにより支持部材が移動して切り換えられる第１の接点と、操作ノブを回転操作して操作軸を回転させることにより切り換えられる第２の接点と、操作ノブを揺動操作して操作軸を揺動させることにより切り換えられる第３の接点と、第１、第２、第３の接点をそれぞれ設けた基板とを備えている。
【００１１】
このようにすると、操作ノブを押し操作することにより第１の接点が切り換わり、操作ノブを回転操作することにより第２の接点が切り換わり、操作ノブを揺動操作することにより第３の接点が切り換わるので、１つの操作ノブの押し、回転、および揺動操作によりそれぞれ異なるスイッチング動作を実現することができ、操作の異なる複数の操作ノブが設けられている従来のスイッチ装置よりも、操作性を著しく向上させることが可能となる。また、第１、第２、第３の接点を同一の基板に設けているので、複数の接点を複数の部材に分けて設けている特許文献３、４のようなスイッチ装置よりも、部品点数が少なく、構造を簡単にすることができ、さらにスイッチ装置の高さ方向の小型化が可能となる。
【００１２】
また、本発明の一実施形態では、基板の一方の面側に第１の接点を設け、他方の面側に第２、第３の接点を設けている。
【００１３】
このようにすると、基板の上面側に全ての接点を設けている特許文献３、４のようなスイッチ装置よりも、基板における各接点の配置が容易になり、基板の小型化が可能で、さらにスイッチ装置の幅方向の小型化が可能となる。また、基板の一方の面側には第１の接点を切り換えるための部品が高さ方向へ移動するスペースを設ければよく、その反対の他方の面側には第２、３の接点を切り換えるための部品が幅方向へ移動するスペースを設ければよいので、基板の上面側に接点を切り換えるための全ての部品の移動スペースを設けている特許文献４のようなスイッチ装置よりも、上記各移動スペースの確保が容易になり、スイッチ装置の高さおよび幅方向の小型化が一層可能となる。
【００１４】
また、本発明の一実施形態では、第１の接点は、基板の操作ノブ側の面に実装された押し込み可能なアクチュエータを有するプッシュスイッチの内部に備わる接点であって、アクチュエータが支持部材に押されることにより切り換えられる。
【００１５】
このようにすると、操作ノブの押し操作により切り換わる接点として固定接点と可動接点を別々の部材にそれぞれ設けている特許文献３のようなスイッチ装置よりも、第１の接点の設置が容易になり、第１の接点を切り換えるための部品点数が少なく、スイッチ装置の構造を一層簡単にすることができる。
【００１６】
さらに、本発明の一実施形態では、基板の操作ノブと反対側に基板と接触した状態で操作軸に追従して回転可能でかつ基板と平行に移動可能な可動接点を備え、第２、第３の接点は、基板の操作ノブと反対側の面に形成された固定接点であり、操作軸を回転させることにより可動接点が回転して第２の接点が切り換えられ、操作軸を揺動させることにより可動接点が基板と平行に移動して第３の接点が切り換えられる。
【００１７】
このようにすると、第２、第３の接点が同一の可動接点により切り換えられるので、操作ノブの回転操作により切り換わる接点と揺動操作により切り換わる接点とを別々の可動接点により切り換える特許文献１、２のようなスイッチ装置よりも、第２、第３の接点の切り換えのための部品点数が少なく、スイッチ装置の構造を一層簡単にすることができる。また、可動接点と第２、第３の接点を基板の同一の面側に設けているので、基板の下面側に可動接点を設け上面側に固定接点を設けている特許文献１〜３のようなスイッチ装置よりも、第２、第３の接点の切り換え構造を一層簡単にすることができる。
【発明の効果】
【００１８】
本発明によれば、操作ノブを押し、回転、および揺動操作することにより、基板に設けた第１、第２、および第３の接点がそれぞれ切り換わるので、１つの操作ノブの押し、回転、および揺動操作によりそれぞれ異なるスイッチング動作を実現して操作性の向上を図ることができ、かつ構造を簡単にすることができる。
【発明を実施するための最良の形態】
【００１９】
図１は、本発明の実施形態に係るスイッチ装置１００の分解斜視図である。本スイッチ装置１００は、自動車の左右のサイドミラーの視角調節と起立・倒伏とを電動で行うパワーミラー装置に用いられるスイッチ装置であって、図１に示すように、ケース１、カバー２、操作軸３、操作ノブ４、外ストライカ５、内ストライカ６、基板７、プランジャ８、およびスライダ９から主に構成されている。
【００２０】
図２〜図１０は、スイッチ装置１００を組み立てた状態を示す図である。詳しくは、図２は、スイッチ装置１００の外観図であって、（ａ）が上面図、（ｂ）が左側面図、（ｃ）が後側面図である。図３および図４は、スイッチ装置１００の斜視図であって、図３ではケース１の一部の図示を省略し、図４ではケース１とカバー２の図示を省略している。図５は、スイッチ装置１００の側面図であって、ケース１、カバー２、および第１ストライカ５の図示を省略している。図６は、基板７とスライダ９を示す図であって、基板７の下面側から見た状態を図示している。図７Ａ〜図７Ｄは、スイッチ装置１００の図２におけるＺ―Ｚ断面図である。図８は、スイッチ装置１００の図２におけるＹ―Ｙ断面図である。図９は、スイッチ装置１００の図２におけるＸ―Ｘ断面図である。図１０は、スライダ９の断面図であって、例えば図７Ｂの断面と直交する断面を左方から見た状態を図示している。
【００２１】
図７Ａ等に示すように、ケース１の下方は開口されていて、カバー２を嵌め込むことにより塞がれる。ケース１の上面には、上下に開口してケース１の内部と連通する筒１ａがケース１と一体で設けられている。筒１ａの内外径は、上方に向かって段階的に小さくなっている。ケース１および筒１ａの内部には、操作軸３が設けられている。操作軸３の上端は、ケース１の内部から筒１ａを貫通して外部へ向かって突出していて、該上端には、操作ノブ４が筒１ａの上部開口を覆うように取り付けられている。この取り付け状態で操作ノブ４と筒１ａの間には隙間が形成されるため、操作ノブ４は、図２に矢印で示すように下方Ｄへ押し操作可能で、かつ時計回りＰおよび反時計回りＱへ回転操作可能で、かつ前方Ｆ、後方Ｂ、右方Ｒ、および左方Ｌへ揺動操作可能である。操作軸３は、操作ノブ４に追従して軸線（図１の一点鎖線）方向への移動、軸線周りの回転、および揺動が可能である。
【００２２】
操作軸３の下端には、図７Ａ等に示すように先端が半球状のプランジャ８が操作軸３の軸線方向へ移動可能に装着されている。操作軸３とプランジャ８の間にはコイルばね１０が介在されている。コイルばね１０は、操作軸３とプランジャ８に軸線方向へ反発するように作用する弾性力をそれぞれ加えている。プランジャ８の下方には、プランジャ８の先端と係合して、操作軸３の揺動時にプランジャ８を介して操作軸３の下端の移動を案内する案内台２ａがカバー２と一体で設けられている。案内台２ａの上部の中央には、凹部２ｋが設けられている。凹部２ｋの周囲には、図７Ａおよび図９等に示すように凹部２ｋから操作ノブ４および操作軸３が揺動可能な前後左右の四方Ｆ、Ｂ、Ｌ、Ｒへ向かいつつ上昇する傾斜面２ｆ、２ｂ、２ｌ、２ｒが設けられている。各傾斜面２ｆ、２ｂ、２ｌ、２ｒの途中には、鈍角の段差からなる凸部２ｄが設けられている。凹部２ｋと凸部２ｄは、プランジャ８および操作軸３の下端を案内する方向（操作軸３の揺動方向）へ並設されている。プランジャ８は、コイルばね１０によって下方へ付勢されて案内台２ａに押し付けられ、操作軸３は、コイルばね１０によって上方へ付勢されて外ストライカ５に押し付けられている。
【００２３】
操作軸３の中央には、図１に示すように多角形（８角形）の鍔３ａが設けられている。操作軸３を外ストライカ５内に下方から挿入し、次いで内ストライカ６を外ストライカ５内に操作軸３を貫通させながら下方から挿入することで、図７Ａ等に示すように操作軸３の鍔３ａが外ストライカ５と内ストライカ６に挟み込まれて支えられる。この支持状態で操作軸３とストライカ５、６の間には隙間が形成されるため、操作軸３は操作ノブ４に追従して揺動可能でかつ回転可能である。鍔３ａを収容している外ストライカ５の空間５ｈは、鍔３ａと同形でかつ略同等の大きさの多角形（８角形）に形成されているため、外ストライカ５は操作軸３に追従して回転可能である。内ストライカ６の下端には、図１、図４、および図８に示すように外ストライカ５の下端に設けられた切欠き５ｋを貫通して突出する押圧部６ａが設けられていて、押圧部６ａ上には、外ストライカ５から所定の間隔で離間して上方へ延びる延出部６ｂが設けられている。延出部６ｂの上端は、図８に示すようにケース１と一体で設けられた２つのストッパ１ｂ間に嵌め込まれて保持されているため、内ストライカ６は回転不可能である。ストライカ５、６は、本発明における支持部材の一実施形態を構成する。
【００２４】
外ストライカ５の中央から上端へかけて連続する階段状の外面（上端面と段差面と外周面）は、図７Ａ等に示すように筒部１ａの内側の中央から下端へかけて連続する階段状の内面（段差面と内周面）に係合されている。外ストライカ５は、下端を基板７に支持されている。基板７は、側面および下面をケース１およびカバー２に支持されている。このため、外ストライカ５は、操作軸３に追従して上下および側方へ移動不可能であり、基板７は、回転、上下、および側方への移動が不可能である。操作軸３は、基板７の中央に形成された孔７ｈへ貫通させられている。孔７ｈの径は操作軸３の径よりある程度大きいため、操作軸３は基板７と独立して軸線方向への移動、回転、および揺動が可能である。
【００２５】
内ストライカ６の押圧部６ａは、図３〜図５および図７Ａ等に示すように基板７の上面に実装されているプッシュスイッチ（面実装型のタクトスイッチ）１１のアクチュエータ１１ａ上に載置されて支持されている。プッシュスイッチ１１は、内ストライカ６の下方の操作軸３近傍でかつ外ストライカ５の切欠き５ｋ内に配置されている。アクチュエータ１１ａはプッシュスイッチ１１の内部へ押し込み可能であるため、内ストライカ６は上下移動が可能である。プッシュスイッチ１１の内部には、アクチュエータ１１ａを内部から突出するように上方へ付勢しつつアクチュエータ１１ａの押し込み時にクリック感（操作感）を出すばね等から成る公知の機構や、アクチュエータ１１ａが押し込まれることによりＯＦＦ状態（開放・非導通状態）からＯＮ状態（接続・導通状態）に切り換わる接点等が備わっている。内ストライカ６が操作軸３に追従して下方へ移動することにより、プッシュスイッチ１１のアクチュエータ１１ａが内ストライカ６の押圧部６ａで押されて、プッシュスイッチ１１の内部接点がＯＦＦ状態からＯＮ状態に切り換わる。プッシュスイッチ１１の上記内部接点は、サイドミラーを起立・倒伏させる指示信号をサイドミラーの駆動を制御する図示しないコントロールユニットへ出力するためのものであって、本発明における第１の接点の一実施形態を構成する。
【００２６】
基板７の上面には、プッシュスイッチ１１の他にも発光ダイオード１２等の電子部品が実装されていて、これら電子部品と図示しない配線パターンから成る電気回路が形成されている。発光ダイオード１２は、操作ノブ４を下方から照らすものである。
【００２７】
外ストライカ５の上方の外周面には、図７Ｂおよび図８に示すように突起５ｅが設けられている。外ストライカ５には、外ストライカ５が操作軸３に追従して時計回りＰまたは反時計回りＱに所定角度（４５°）回転したときに、突起５ｅが当接する２つのストッパ１ｅがケース１と一体で設けられている。突起５ｅがストッパ１ｅに当接することにより、外ストライカ５、操作軸３、および操作ノブ４の所定角度以上の過度な回転が規制される。
【００２８】
外ストライカ５の下方の外周面には、図３、図４、および図８に示すように先端が円弧状の突起からなる係合部５ａが設けられている。係合部５ａの両側方には、係合部５ａと係合して、操作軸３の回転時に外ストライカ５の回転および係合部５ａの移動を案内する案内壁１ｃがケース１と一体で設けられている。各案内壁１ｃを外ストライカ５と反対向きに反らせて、係合部５ａの両側方の案内壁１ｃを略Ｖ字形に配置することにより、案内壁１ｃには凸部１ｄと凹部１ｋが係合部５ａを案内する方向（外ストライカ５の回転方向）へ並設されている。外ストライカ５と案内壁１ｃは合成樹脂で形成されていて、図８（ａ）、（ｂ）に示すように係合部５ａが凸部１ｄに接していないときは、案内壁１ｃは殆ど弾性変形せず、係合部５ａと案内壁１ｃは小さな圧力で係合し、係合部５ａが凸部１ｄに接しているときは、案内壁１ｃは弾性変形し、係合部５ａと案内壁１ｃは大きな圧力で係合する。
【００２９】
基板７の下方（操作ノブ４と反対側）には、図５、図１０、および図７Ａ等に示すようにスライダ９が設けられている。スライダ９の下面の四隅近傍には、下方へ突出する４つのボスからなる脚部９ｂが形成されていて、各脚部９ｂは、カバー２と一体で設けられた支持台２ｃ上に支持されている。脚部９ｂ間には、２つの端子１３が取り付けられていて、各端子１３は、図１０に示すようにスライダ９に上下移動可能に装着されている。各端子１３の上面には、上方へ突出する２つの突起状の可動接点１３ａが形成されている。各端子１３とスライダ９の間には、コイルばね１４が介在されている。コイルばね１４は、端子１３を上方へ付勢して、各可動接点１３ａを基板７の下面に所定の圧力で押し付けているとともに、スライダ９を下方へ付勢して、各脚部９ｂを支持台２ｃ上に所定の圧力で押し付けている。つまり、スライダ９および端子１３は基板７と支持台２ｃに挟まれていて、可動接点１３ａは基板７の下面に所定の圧力で常時接している。操作軸３は、スライダ９の中央に形成された孔９ｈへ貫通させられている。図１に示すように操作軸３の孔９ｈを貫通する貫通部３ｂは多角形（８角形）であり、孔９ｈは貫通部３ｂと同形でかつ略同等の大きさの多角形（８角形）に形成されているため、スライダ９および端子１３の可動接点１３ａは、操作軸３に追従して回転可能でかつ基板７と平行に移動可能である。支持台２ｃは、該移動時に可動接点１３ａが支持台２ｃ上から陥落しないような大きさに形成されている。
【００３０】
基板７の下面には、図６に示すように複数の固定接点７ｐｃ、７ｐｒ、７ｐｌ、７ｐｕ、７ｐｄ、７ｑｃ、７ｑｒ、７ｑｌ、７ｑｕ、７ｑｄが形成されている。固定接点７ｐｃ、７ｐｒ、７ｐｌ、７ｐｕ、７ｐｄは、右のサイドミラーを上下左右へ傾動させる信号をコントロールユニットへ出力するためのものであり、固定接点７ｑｃ、７ｑｒ、７ｑｌ、７ｑｕ、７ｑｄは、左のサイドミラーを上下左右へ傾動させる信号をコントロールユニットへ出力するためのものである。スライダ９が操作軸３に追従して回転することにより、端子１３の可動接点１３ａが固定接点７ｐｃ、７ｐｒ、７ｐｌ、７ｐｕ、７ｐｄの近傍位置または固定接点７ｑｃ、７ｑｒ、７ｑｌ、７ｑｕ、７ｑｄの近傍位置へ移動する。そしてさらに、スライダ９が操作軸３に追従して基板７と平行に前後左右のいずれかへ移動することにより、可動接点１３ａがその移動方向にある固定接点７ｐｃ、７ｐｒ、７ｐｌ、７ｐｕ、７ｐｄ、７ｑｃ、７ｑｒ、７ｑｌ、７ｑｕ、７ｑｄに接触して、該固定接点がＯＦＦ状態からＯＮ状態に切り換わる。固定接点７ｐｃ、７ｐｒ、７ｐｌ、７ｐｕ、７ｐｄ、７ｑｃ、７ｑｒ、７ｑｌ、７ｑｕ、７ｑｄは、本発明における第２の接点および第３の接点の一実施形態を構成する。
【００３１】
上記の他にも、基板７の下面には、図示しない電子部品が実装されていて、これら電子部品と図示しない配線パターンから成る電気回路が形成されている。また、スイッチ装置１００には、前記コントロールユニットへ固定接点７ｐｃ、７ｐｒ、７ｐｌ、７ｐｕ、７ｐｄ、７ｑｃ、７ｑｒ、７ｑｌ、７ｑｕ、７ｑｄやプッシュスイッチ１１の内部接点の切り換わり信号を出力するための図示しないコネクタや電線等の接続部品も基板７に実装される等して設けられている。
【００３２】
上記構造において、操作ノブ４を操作していないときは、各部は図２、図３、図４（ａ）、図５、図６（ａ）、図７Ａ、図８（ａ）、図９に示すような初期状態にある。この初期状態から、操作ノブ４を例えば図２の下方Ｄへ一度押し操作すると、図７Ｄに示すように操作軸３が下方へ移動して、鍔３ａで内ストライカ６を押し下げる。このため、プッシュスイッチ１１のアクチュエータ１１ａが内ストライカ６の押圧部６ａに押されて、プッシュスイッチ１１の内部接点がＯＦＦ状態からＯＮ状態に切り換わる。このとき、前述したプッシュスイッチ１１の内部機構により、アクチュエータ１１ａの押圧部６ａに対する抗力が急激に変化し（一旦大きくなった後小さくなる）、内ストライカ６、操作軸３、および操作ノブ４を介してクリック感（節度感）が出る。このため、このクリック感を頼りに操作ノブ４を押し操作することで、操作軸３および内ストライカ６を適正な位置（内ストライカ６の押圧部６ａがプッシュスイッチ１１のアクチュエータ１１ａを内部接点の切り換えに要するストローク分下方へ移動させる位置）まで移動させることができる。上記のようにプッシュスイッチ１１の内部接点が切り換わると、この切り換わり信号がサイドミラーを起立させる信号としてスイッチ装置１００からコントロールユニットへ出力され、該信号を受けたコントロールユニットがモータ等の電動機を駆動して左右のサイドミラーを起立させる。
【００３３】
操作ノブ４の押し操作を解除すると、操作軸３がコイルばね１０によって上方へ付勢されて、鍔３ａで内ストライカ６を押さなくなる。このため、プッシュスイッチ１１のアクチュエータ１１ａが内部機構によって上方へ付勢されて、内ストライカ６の押圧部６ａを押し上げ、プッシュスイッチ１１の内部接点がＯＮ状態からＯＦＦ状態に切り換わる。また、図７Ａおよび図９等に示すように操作軸３、操作ノブ４、内ストライカ６が元の位置に復帰する。この後、操作ノブ４をもう一度押し操作すると、上記と同様にプッシュスイッチ１１の内部接点がＯＦＦ状態からＯＮ状態に切り換わり、この切り換わり信号が今度はサイドミラーを倒伏させる信号としてスイッチ装置１００からコントロールユニットへ出力され、該信号を受けたコントロールユニットが電動機を駆動して左右のサイドミラーを倒伏させる。
【００３４】
また、初期状態から操作ノブ４を例えば図２の反時計回りＱに回転操作すると、操作軸３が回転して、鍔３ａで外ストライカ５を図４（ｂ）および図８（ｂ）に示すように回転させる。このとき、外ストライカ５の係合部５ａが案内壁１ｃの凹部１ｋから凸部１ｄを乗り越えることにより、係合部５ａと案内壁１ｃとの係合力が急激に変化（一旦大きくなった後小さくなる）し、外ストライカ５、操作軸３、および操作ノブ４を介してクリック感が出る。このため、このクリック感を頼りに操作ノブ４を回転操作することで、操作軸３および外ストライカ５を適正な位置（外ストライカ５の係合部５ａが４５°回転して案内壁１ｃの凸部１ｄを乗り越える位置）まで回転させることができる。なお、外ストライカ５の適正位置を越える過度な回転は、前述したように突起５ｅがストッパ１ｅに当接することにより規制される。上記と同時に、操作軸３が貫通部３ｂでスライダ９を引っ掛けて、図６（ｂ）および図７Ｂに示すようにスライダ９および端子１３をＱ方向へ４５°回転させる。このため、端子１３の可動接点１３ａが固定接点７ｑｃ、７ｑｒ、７ｑｌ、７ｑｕ、７ｑｄの近傍位置まで移動し、左のサイドミラーの視角調節（上下左右への傾動）が可能となる。
【００３５】
そして、上記の回転状態から操作ノブ４を例えば図２の前方Ｆへ揺動操作すると、図７Ｃに示すように操作軸３が揺動して、プランジャ８を操作ノブ４の操作方向Ｆと反対方向Ｂの案内台２ａの傾斜面２ｂに沿って上方へ移動させる。このとき、プランジャ８が案内台２ａの凹部２ｋから凸部２ｄを乗り越えることにより、プランジャ８と案内台２ａとの係合力が急激に変化（大きくなった後小さくなる）し、プランジャ８、操作軸３、および操作ノブ４を介してクリック感が出る。このため、このクリック感を頼りに操作ノブ４を揺動操作することで、操作軸３を適正な位置（プランジャ８が案内台２ａの凸部２ｄを乗り越える位置）まで揺動させることができる。なお、操作軸３の適正位置を越える過度な揺動は、外ストライカ５の空間５ｈの上面および側面に鍔３ａが当接することにより規制される。上記と同時に、操作軸３が貫通部３ｂでスライダ９を引っ掛けて、図７Ｃおよび図６（ｃ）に示すようにスライダ９および端子１３を基板７と平行に操作ノブ４の操作方向Ｆと反対方向Ｂへ移動させる。このため、各端子１３の２つの可動接点１３ａがその移動方向Ｂにある２つの固定接点７ｑｃ、７ｑｕにそれぞれ接触して、該固定接点７ｑｃ、７ｑｕが端子１３を介して接続されてＯＦＦ状態からＯＮ状態に切り換わる。そして、この切り換わり信号が左のサイドミラーを上向き傾動させる信号としてスイッチ装置１００からコントロールユニットへ出力され、該信号を受けたコントロールユニットが電動機を駆動して左のサイドミラーを上向きに所定角度傾動させる。
【００３６】
操作ノブ４の揺動操作を解除すると、プランジャ８がコイルばね１０によって下方へ付勢されて、案内台２ａの傾斜面２ｂに沿って下方へ移動し、図７Ａ等に示すようにプランジャ８が凹部２ｋに嵌まり込む揺動前の位置に復帰する。また、操作軸３がコイルばね１０によって上方へ付勢されかつプランジャ８に引っ張られて基板７に対して垂直になるように揺動し、図７Ａ等に示すように操作軸３および操作ノブ４が揺動前の位置に復帰する。上記と同時に、スライダ９が操作軸３の貫通部３ｂに引っ張られて基板７と平行に移動し、図７Ａおよび図６（ｂ）に示すようにスライダ９および端子１３が揺動前の位置に復帰する。このため、端子１３の可動接点１３ａが固定接点７ｑｃ、７ｑｒ、７ｑｌ、７ｑｕ、７ｑｄの中間に位置して、固定接点７ｑｃ、７ｑｒ、７ｑｌ、７ｑｕ、７ｑｄのいずれとも接触しなくなり、固定接点７ｑｃ、７ｑｕが開放されてＯＮ状態からＯＦＦ状態に切り換わる。
【００３７】
上記に対して、図６（ｂ）の状態から、操作ノブ４を図２の後方Ｂへ揺動操作すると、操作軸３が揺動して、プランジャ８を操作方向Ｂと反対方向Ｆの案内台２ａの傾斜面２ｆ（図７Ａ等）に沿って移動させ、スライダ９を基板７と平行に反対方向Ｆへ移動させるため、各可動接点１３ａが移動先の固定接点７ｑｄ、７ｑｃにそれぞれ接触して、該固定接点７ｑｄ、７ｑｃがＯＦＦ状態からＯＮ状態に切り換わる。また、操作ノブ４を図２の左方Ｌへ揺動操作すると、操作軸３が揺動して、プランジャ８を反対方向Ｒの案内台２ａの傾斜面２ｒ（図９）に沿って移動させ、スライダ９を基板７と平行に反対方向Ｒへ移動させるため、各可動接点１３ａが移動先の固定接点７ｑｌにそれぞれ接触して、該固定接点７ｑｌがＯＦＦ状態からＯＮ状態に切り換わる。さらに、操作ノブ４を図２の右方Ｒへ揺動操作すると、操作軸３が揺動して、プランジャ８を反対方向Ｌの案内台２ａの傾斜面２ｌ（図９）に沿って移動させ、スライダ９を基板７と平行に反対方向Ｌへ移動させるため、各可動接点１３ａが移動先の固定接点７ｑｒにそれぞれ接触して、該固定接点７ｑｒがＯＦＦ状態からＯＮ状態に切り換わる。これらの切り換わり信号は左のサイドミラーを下向き、左向き、または右向きに傾動させる信号としてスイッチ装置１００からコントロールユニットへ出力され、該信号を受けたコントロールユニットが電動機を駆動して左のサイドミラーを下向き、左向き、または右向きに所定角度傾動させる。
【００３８】
逆に、初期状態から操作ノブ４を図２の時計回りＰに回転操作した場合には、操作軸３、外ストライカ５、スライダ９等がＰ方向へ４５°回転して、可動接点１３ａが固定接点７ｐｃ、７ｐｒ、７ｐｌ、７ｐｕ、７ｐｄの近傍位置まで移動し、右のサイドミラーの視角調節が可能となる。そして、この回転状態から操作ノブ４を前方Ｆ、後方Ｂ、左方Ｌ、右方Ｒのいずれかへ揺動操作すると、上記と同様に操作軸３がその操作方向へ揺動して、プランジャ８、スライダ９、および端子１３を反対方向へ移動させるため、可動接点１３ａが移動先の固定接点７ｐｃ、７ｐｒ、７ｐｌ、７ｐｕ、７ｐｄに接触して、該固定接点がＯＦＦ状態からＯＮ状態に切り換わる。そして、これらのような切り換わり信号は右のサイドミラーを上向き、下向き、左向き、または右向きに傾動させる信号としてスイッチ装置１００からコントロールユニットへ出力され、該信号を受けたコントロールユニットが電動機を駆動して右のサイドミラーを上向き、下向き、左向き、または右向きに所定角度傾動させる。
【００３９】
以上によると、操作ノブ４を押し操作して操作軸３を下方へ移動させることにより、内ストライカ６が操作軸３に追従して下方へ移動してプッシュスイッチ１１のアクチュエータ１１ａを押すので、プッシュスイッチ１１の内部接点をＯＦＦ状態からＯＮ状態に切り換えることができる。また、操作ノブ４を回転操作して操作軸３を回転させることにより、スライダ９が操作軸３に追従して回転して、スライダ９上の可動接点１３ａが接触可能になる接点を基板７の固定接点７ｐｃ、７ｐｒ、７ｐｌ、７ｐｕ、７ｐｄか固定接点７ｑｃ、７ｑｒ、７ｑｌ、７ｑｕ、７ｑｄに切り換えることができる。さらに、操作ノブ４を揺動操作して操作軸３を揺動させることにより、スライダ９が操作軸３に追従して基板７と平行に移動して、可動接点１３ａが固定接点７ｐｃ、７ｐｒ、７ｐｌ、７ｐｕ、７ｐｄ、７ｑｃ、７ｑｒ、７ｑｌ、７ｑｕ、７ｑｄのいずれかに接触するので、接触したその固定接点をＯＦＦ状態からＯＮ状態に切り換えることができる。よって、１つの操作ノブ４の押し、回転、および揺動操作によりそれぞれ異なるスイッチング動作を実現することができ、操作の異なる複数の操作ノブが設けられている従来のスイッチ装置よりも、操作性を著しく向上させることが可能となる。
【００４０】
また、プッシュスイッチ１１の内部接点および固定接点７ｐｃ、７ｐｒ、７ｐｌ、７ｐｕ、７ｐｄ、７ｑｃ、７ｑｒ、７ｑｌ、７ｑｕ、７ｑｄを同一の基板７に設けているので、複数の接点を複数の部材に分けて設けている特許文献３、４のようなスイッチ装置よりも、部品点数が少なく、構造を簡単にすることができ、さらにスイッチ装置１００の高さ方向（上下方向Ｕ、Ｄ）の小型化が可能となる。
【００４１】
また、基板７の上面側にプッシュスイッチ１１を設け、その反対の下面側に固定接点７ｐｃ、７ｐｒ、７ｐｌ、７ｐｕ、７ｐｄ、７ｑｃ、７ｑｒ、７ｑｌ、７ｑｕ、７ｑｄを設けているので、基板の上面側に全ての接点を設けている特許文献３、４のようなスイッチ装置よりも、基板７におけるプッシュスイッチ１１および固定接点７ｐｃ、７ｐｒ、７ｐｌ、７ｐｕ、７ｐｄ、７ｑｃ、７ｑｒ、７ｑｌ、７ｑｕ、７ｑｄの配置が容易になり、基板７の小型化が可能で、さらにスイッチ装置１００の幅方向（前後方向Ｆ、Ｂおよび左右方向Ｌ、Ｒ）の小型化が可能となる。加えて、基板７の上面側にはプッシュスイッチ１１の内部接点を切り換えるための部品（内ストライカ６）が高さ方向へ移動するスペースを設ければよく、下面側には固定接点７ｐｃ、７ｐｒ、７ｐｌ、７ｐｕ、７ｐｄ、７ｑｃ、７ｑｒ、７ｑｌ、７ｑｕ、７ｑｄを切り換えるための部品（スライダ９および端子１３）が幅方向へ移動するスペースを設ければよいので、基板の上面側に接点を切り換えるための全ての部品の移動スペースを設けている特許文献４のようなスイッチ装置よりも、上記各移動スペースの確保が容易になり、スイッチ装置１００の高さおよび幅方向の小型化が一層可能となる。
【００４２】
また、操作ノブ４の押し操作により切り換わる接点としてプッシュスイッチ１１の内部接点を採用して、プッシュスイッチ１１を基板７の上面に実装しているので、操作ノブの押し操作により切り換わる接点として固定接点と可動接点を別々の部材にそれぞれ設けている特許文献３のようなスイッチ装置よりも、該接点の設置が容易になり、該接点を切り換えるための部品点数が少なく（操作軸３と内ストライカ６の２点）、スイッチ装置１００の構造を一層簡単にすることができる。
【００４３】
また、固定接点７ｐｃ、７ｐｒ、７ｐｌ、７ｐｕ、７ｐｄ、７ｑｃ、７ｑｒ、７ｑｌ、７ｑｕ、７ｑｄを同一の可動接点１３ａにより切り換えられるので、操作ノブ４の回転操作により切り換わる接点と揺動操作により切り換わる接点とを別々の可動接点により切り換える特許文献１、２のようなスイッチ装置よりも、固定接点７ｐｃ、７ｐｒ、７ｐｌ、７ｐｕ、７ｐｄ、７ｑｃ、７ｑｒ、７ｑｌ、７ｑｕ、７ｑｄの切り換えのための部品点数が少なく（操作軸３とスライダ９と端子１３の３点）、スイッチ装置１００の構造を一層簡単にすることができる。また、固定接点７ｐｃ、７ｐｒ、７ｐｌ、７ｐｕ、７ｐｄ、７ｑｃ、７ｑｒ、７ｑｌ、７ｑｕ、７ｑｄと可動接点１３ａとを基板７の同一の面側に設けているので、基板７の下面側に可動接点を設け上面側に固定接点を設けている特許文献１〜３のようなスイッチ装置よりも、固定接点７ｐｃ、７ｐｒ、７ｐｌ、７ｐｕ、７ｐｄ、７ｑｃ、７ｑｒ、７ｑｌ、７ｑｕ、７ｑｄの切り換え構造を一層簡単にすることができる。
【００４４】
さらに、プッシュスイッチ１１を設けたことにより、操作ノブ４の押し操作時にクリック感を出すことができ、外ストライカ５と案内壁１ｃを設けたことにより、操作ノブ４の回転操作時にクリック感を出すことができ、プランジャ８とコイルばね１０と案内台２ａを設けたことにより、操作ノブ４の揺動操作時にクリック感を出すことができる。このため、これらのクリック感を頼りに操作ノブ４を適正に押し、回転、および揺動操作して、プッシュスイッチ１１の内部接点および基板７の固定接点７ｐｃ、７ｐｒ、７ｐｌ、７ｐｕ、７ｐｄ、７ｑｃ、７ｑｒ、７ｑｌ、７ｑｕ、７ｑｄを正常に切り換えることができ、操作性を一層向上させることが可能となる。加えて、クリック感を出すための部品点数が少ないので、スイッチ装置１００の構造を簡単にすることが可能となる。
【００４５】
以上述べた実施形態では、本発明を、自動車のパワーミラー装置に用いられるスイッチ装置１００に適用した例を挙げたが、本発明は、これ以外の用途に用いられる押し、回転、および揺動操作可能なスイッチ装置に適用することが可能である。
【図面の簡単な説明】
【００４６】
【図１】本発明の実施形態に係るスイッチ装置の分解斜視図である。
【図２】同スイッチ装置の外観図である。
【図３】同スイッチ装置の斜視図である。
【図４】同スイッチ装置の斜視図である。
【図５】同スイッチ装置の側面図である。
【図６】同スイッチ装置の基板とスライダを示す図である。
【図７Ａ】同スイッチ装置の図２におけるＺ―Ｚ断面図である。
【図７Ｂ】同スイッチ装置の図２におけるＺ―Ｚ断面図である。
【図７Ｃ】同スイッチ装置の図２におけるＺ―Ｚ断面図である。
【図７Ｄ】同スイッチ装置の図２におけるＺ―Ｚ断面図である。
【図８】同スイッチ装置の図２におけるＹ―Ｙ断面図である。
【図９】同スイッチ装置の図２におけるＸ―Ｘ断面図である。
【図１０】同スイッチ装置のスライダの断面図である。
【符号の説明】
【００４７】
１    ケース
３    操作軸
３ａ  鍔
４    操作ノブ
５    外ストライカ
６    内ストライカ
７    基板
７ｐｃ、７ｐｌ、７ｐｒ、７ｐｕ、７ｐｄ  固定接点
７ｑｃ、７ｑｌ、７ｑｒ、７ｑｕ、７ｑｄ  固定接点
１１  プッシュスイッチ
１１ａ  アクチュエータ
１３ａ  可動接点
１００  スイッチ装置
【図１】
2007087671.tif 000003
【図２】
2007087671.tif 000004
【図３】
2007087671.tif 000005
【図４】
2007087671.tif 000006
【図５】
2007087671.tif 000007
【図６】
2007087671.tif 000008
【図７Ａ】
2007087671.tif 000009
【図７Ｂ】
2007087671.tif 000010
【図７Ｃ】
2007087671.tif 000011
【図７Ｄ】
2007087671.tif 000012
【図８】
2007087671.tif 000013
【図９】
2007087671.tif 000014
【図１０】
2007087671.tif 000015